(57)【特許請求の範囲】
【請求項１】
建物開口部に取付けられる樹脂製の窓枠、もしくは、窓枠に開閉自在に設けられる樹脂製の障子を備え、
建物開口部に取付けられる樹脂製の窓枠、もしくは、窓枠に開閉自在に設けられる障子を構成する樹脂製の框の室内側部分もしくは室外側部分を中空の見付け壁により構成するとともに、
中空の見付け壁の内部には、ガラス間口を構成する領域からガラス間口の外周側領域に至る見付け幅を有する金属製の補強部材が見付け壁の見付け面の裏面に対向するように配置されており、
金属製の補強部材と見付け壁の見付け面の裏面との間に、火災時に膨張して補強部材の外側に断熱層を形成する耐火材を設けた
ことを特徴とする樹脂サッシ。
【発明の詳細な説明】
【技術分野】
【０００１】
本発明は、建物開口部に取付けられガラス等のパネルを保持する樹脂製の窓枠、もしくは、窓枠に開閉自在に支持されガラス等のパネルを保持する樹脂製の障子を備える樹脂サッシに関する。
【背景技術】
【０００２】
近年、枠体及び障子の框を樹脂により中空に形成してなる樹脂サッシが周知となっているが、樹脂サッシにおいても、防火性能を高めることは必須の事項となっている。
そして、樹脂サッシにおいて、樹脂製の枠体や框の中空内部に補強部材や熱膨張耐火材を配置するなどして、火災時に樹脂製の枠体や框が溶融した場合であっても、枠体と框との間から火炎が浸入することを防止する樹脂サッシが知られている（特許文献１）。
【先行技術文献】
【特許文献】
【０００３】
【特許文献１】特許第５２９００３４号
【発明の概要】
【発明が解決しようとする課題】
【０００４】
しかしながら、上記先行技術文献の樹脂サッシは、枠体と框との間からの火災の浸入の防止ができるとしても、樹脂製の框自体が溶融してしまっては、溶融した部分から火炎の浸入を許すこととなり、また、框によって保持されているガラス等のパネル体を保持することができなくなり、結局、火炎の浸入を防止することが難しかった。
【０００５】
本発明は、上記の事情を鑑み、樹脂框のガラス間口部分の耐火性を向上させることにより、火災時における樹脂框の溶融を防止して、火炎の浸入を遅延させることのできる樹脂サッシを提供することを目的とする。
【課題を解決するための手段】
【０００６】
本発明は、建物開口部に取付けられる樹脂製の窓枠、もしくは、窓枠に開閉自在に支持される樹脂製の障子を備え、建物開口部に取付けられる樹脂製の窓枠、もしくは、窓枠に開閉自在に支持される障子を構成する樹脂製の框の室内側部分もしくは室外側部分を中空の見付け壁により構成するとともに、中空の見付け壁の内部には、ガラス間口を構成する領域からガラス間口の外周側領域に至る見付け幅を有する金属製の補強部材が見付け壁の見付け面の裏面に対向するように配置されており、金属製の補強部材と見付け壁の見付け面の裏面との間に、火災時に膨張して補強部材の外側に断熱層を形成する耐火材を設けた
ことを特徴とする。
【発明の効果】
【０００７】
樹脂框もしくは樹脂枠の側面に補強部材を伴った断熱層を形成することができるので、樹脂框もしくは樹脂枠のガラス間口部分に対する火炎や熱の浸入を防止でき、樹脂框の溶融を遅らせることができる。
【図面の簡単な説明】
【０００８】
【図１】本発明の第１の実施形態のすべり出し窓の内観図である。
【図２】本発明の第１の実施形態のすべり出し窓の縦断面図である。
【図３】本発明の第１の実施形態のすべり出し窓の横断面図である。
【図４】本発明の第１の実施形態のすべり出し窓の左側の縦枠の拡大横断面図である。
【図５】本発明の第１の実施形態のすべり出し窓の左側の縦框の拡大横断面図である。
【図６】本発明の第１の実施形態のすべり出し窓の左側の縦枠と縦框の拡大横断面図である。
【図７】本発明の第１の実施形態のすべり出し窓の樹脂框の見付け壁の構造を説明する図であり、左側の縦框の拡大横断面図である。
【図８】本発明の第２の実施形態に係るＦＩＸ窓の樹脂框の見付け壁の構造を説明する図であり、左側の縦框の拡大横断面図である。
【発明を実施するための形態】
【０００９】
本発明の実施形態の樹脂サッシについて、図面を参考に説明する。
（全体の構成）
図１に示すように、本発明の実施形態の樹脂サッシは、建物開口部に設置され、上枠１１、下枠１２及び左、右縦枠１３，１４を四周に組んでなる枠体１と、上框２１、下框２２、及び左、右縦框２３，２４を四周に組んでその内周にガラス等のパネル体２５が嵌め込まれてなる障子２とからなる。
そして、枠体１の左、右縦枠１３，１４と障子２の左、右縦框２３，２４と間に配置されたアーム部材３，３により、枠体１に対して障子２がすべり出し開閉自在に支持されたすべり出し窓として構成されている。
下框２２の室内側には、障子２の開閉時に操作者が握ることができ、また、障子２を閉鎖状態にロック操作するためのハンドル９３が配置されている。
以下に、本発明の実施形態の樹脂サッシを構成する各部材について、図面を参考に詳細に説明する
【００１０】
（窓枠の構成）
枠体１を構成する上枠１１、下枠１２及び左、右縦枠１３，１４は、合成樹脂により形成されており、図２、３に示すように、各枠の断面形状はほぼ同一に形成されている。
各枠の構成について、図４を参照しながら、左縦枠を用いて説明する。
【００１１】
左縦枠１３は、中空の矩形形状をなす枠本体部１３１と、枠本体部１３１の室外側に連続する室外側中空部１３２と、枠本体部１３１の室内側に連続する中空の立上り壁１３３とから構成されている。
左縦枠１３の外周面の見込み方向中間付近には、外周方向に向けて取付片部１３１ａが延設されており、建物開口部の躯体に対して、金属製の釘ヒレアングル材５１を挟んでネジ等の固定手段ｎにより固定されている。
また、左縦枠１３の外周面の室内側からは室内方向に向けて室内側取付片部１３１ｂが延設されており、ネジ等の固定手段ｎにより建物開口部の内周面に固定されている。
【００１２】
枠本体部１３１の中空内部には、外周片５３ａ、内周片５３ｂ及び見付け片５３ｃとにより略Ｕ字形状をなす金属製の主補強部材５３が長さ方向全長に渡って挿入されており、その外周片５３ａが左縦枠１３の枠本体部１３１の外周壁を挟んで釘ヒレアングル材５１に対してビス等の連結手段ｂにより固定され、内周片５３ｂがビス等の連結手段ｂにより、枠本体部１３１の内周面部に固定されている。
【００１３】
枠本体部１３１の室内側に連続する立上り壁１３３は、枠本体部１３１よりも内周方向に突出しており、突出した部分の室外側面には、障子２の室内側面が当接するシール材ｓが配置されて、立上り壁１３３が戸当たりとして構成されている。
立上り壁１３３の中空内部の左右方向中間位置付近（枠本体部１３１の内周面付近）には、中間壁１３３ｂが形成されており、立上り壁１３３内部が外周側中空部１３３ａと内周側中空部１３３ｃに分割され、立上り壁１３３の強度を向上させている。
【００１４】
分割された外周側中空部１３３ａ及び内周側中空部１３３ｃには金属製の外周側補強部材５４及び内周側補強部材５５が長さ方向全長に渡って挿入されている。
外周側補強部材５４、内周側補強部材５５は、見付け面部５４ａ，５５ａ、及び、少なくとも一つの見込み面部５４ｂ，５５ｂを有しており、見込み面部５４ｂ，５５ｂ同士が中間壁１３３ｂを挟んで対向するように配置されている。
【００１５】
外周側補強部材５４の見込み面部５４ｂには、長ビスｂが挿入される孔が設けられており、見込み面部５４ｂの内周側面には、熱により膨張する耐火材（熱膨張耐火材ｆ）が配置されている。また、内周側補強部材５５の見込み面部５５ｂには、長ビスｂが螺合されるネジ孔が設けられており、左縦枠１３の立上り壁１３３の外周側面から挿入される長ビスｂにより、外周側補強部材５４及び内周側補強部材５５が中間壁１３３ｂ及び熱膨張耐火材ｆを挟んで連結され、立上り壁１３３と外周側補強部材５４及び内周側補強部材５５が一体的に構成されている。
【００１６】
以上、左縦枠１３の構成を説明したが、上，下枠１１，１２及び右縦枠１４についても同様の構造を備えている。そして、各枠に挿入された主補強部材５３はその端部において隣接する他の主補強部材５３と図示しない金属製のアングル材等により連結され、枠体の四周に亘って金属製の部材により補強されている。
【００１７】
（障子の構成）
障子２を構成する上框２１、下框２２及び左、右縦框２３，２４は、合成樹脂により形成され、図２、３に示すように、各框の断面形状はほぼ同一に形成されている。
各框の構成について、図５を参照しながら、左縦框２３を用いて説明する。
【００１８】
左縦框２３は、中空の矩形形状をなす框本体部２３１と、框本体部２３１の室外側に連続し、外周側に突出する立上り部を備える室外側壁部２３２と、框本体部２３１の室内側に連続し、ガラス間口の室内側を構成する室内側壁部２３３と、室外側壁部２３２の内周に係合されてガラス間口の室外側を構成する押縁部材２３４とから構成されており、框本体部２３１の外周面には、外周に向けて開口する溝状のレール部２３１ａが設けられている。
【００１９】
左縦框２３の外周面には、金属製の框カバー部材６１が配置されている。框カバー部材６１は見付け面部６１ａ及び見込み面部６１ｂを備え、見付け面部６１ａにより、室外側壁部２３２の立上り部の室内側面を覆うとともに、見込み面部６１ｂにより框本体部２３１の外周面を覆いながら、レール部２３１ａにおいて框本体部２３１及び後述する主框補強部材６２にビス等の連結手段ｂにより連結されている。
【００２０】
左縦框２３を構成する框本体部２３１と、室外側壁部２３２と、室内側壁部２３３の中空部内には、それぞれ金属製の主框補強部材６２，室外側框補強部材６３，室内側框補強部材６４が長さ方向全長に渡って挿入されている。
框本体部２３１の中空部内に挿入される主框補強部材６２は、少なくとも外周片６２ａ、内周片６２ｂ及び見付け片６２ｃを有し、その外周片６２ａは、左縦框２３の框本体部２３１及び框カバー部材６１の見込み面部６１ｂに対してビス等の連結手段ｂにより連結固定されているとともに、その内周片６２ｂには、熱膨張耐火材ｆが配置されている。
【００２１】
室外側壁部２３２は、その中空部内の左右方向中間位置付近（框本体部２３１の外周面位置付近）に、中間壁２３２ｂが設けられており、框本体部２３１の室外側に位置し、その内周側に押縁部材２３４を係合する係合部を有する室内側框中空部２３２ａと、框本体部２３１よりも外周側に突出して立上り部を構成し、室内側面にシール材ｓが取り付けられる外周側框中空部２３２ｃとが形成されている。
【００２２】
室外側壁部２３２に挿入される室外側框補強部材６３は、外周側框中空部２３２ｃの中空部内に挿入されており、図６に示すように、室外側框補強部材６３の外周端は、障子２の閉鎖状態において、左縦枠１３の主補強部材５３の内周端よりも外周側に位置し、且つ、内周端は、框カバー部材６１の外周端よりも内周側に位置することにより、左縦枠１３の主補強部材５３と框カバー部材６１との間の室外側を塞ぐように配置されている。
【００２３】
そして、室外側框補強部材６３の見付け面部が框カバー部材６１の見付け面部６１ａに対してビス等の連結手段ｂにより連結されることにより、主框補強部材６２と室外側框補強部材６３と框カバー部材６１との一体化をはかっている。
なお、室外側框補強部材６３の室外側には、熱膨張耐火材ｆが配置されており、室外側の火災に対して速やかに膨張して、室外側框補強部材６３の室外側(火災が発生した側）に断熱層を形成して、枠と框の溶融を遅らせて、火炎等の浸入を遅延させることができる。
【００２４】
室内側壁部２３３の中空部内に挿入される室内側框補強部材６４は、左縦框２３のガラス間口から框本体部２３１にかけて、その室内側を覆う見付け面部６４ａを備えており、見付け面部６４ａの内周端及び外周端からそれぞれ室内側に見込み面部６４ｂ，６４ｃが形成されている。
そして、内周側の見込み面部６４ｂの外周側面、及び、外周側の見込み面部６４ｃの外周側面には熱膨張耐火材ｆが配置されており、室内側壁部２３３の中空部内において外周側の見込み面部６４ｃを室内側壁部２３３の外周面に対して熱膨張耐火材ｆを挟んでビス等の連結手段ｂにより連結固定している。
【００２５】
左縦框２３の内周には、室内側壁部２３３及び押縁部材２３４によりガラス間口が形成されており、ガラス間口には、ガラス等のパネル体２５の外周面及び室内側面を覆う断面Ｌ字状のガラス受け６５、及び、ガラス受け６５に対して係合され、ガラス等パネルの外周面及び室外側面を覆う断面Ｌ字状のガラス押さえ６６が配置されている。
【００２６】
ガラス受け６５の外周面は、框本体部２３１の中空部内に挿入された主框補強部材６２の内周片６２ｂに対してビス等の連結手段ｂにより連結されるとともに、ガラス受け６５の室内側面は室内側壁部２３３の中空部内に配置された室内側框補強部材６４の見付け面部６４ａに対してビス等の連結手段ｂにより連結されている。
【００２７】
従って、左縦框２３を構成する各中空部内に配置される主框補強部材６２，室外側框補強部材６３，室内側框補強部材６４、及び框カバー部材６１，ガラス受け６５，ガラス押さえ６６等の金属製の部材がビス等の連結手段ｂにより一体的に連結されることとなり、火災時に樹脂製の框が溶融しても、金属製の部材が分解してパネル体２５が脱落することを防止できる。
なお、図示はしていないが、室内側框補強部材６４の外周側の見込み面部６４ｃと主框補強部材６２とを金属製の連結部材等により連結することもでき、火災時に主框補強部材６２と室内側框補強部材６４とが分離して広がることを防止できる。
【００２８】
また、ガラス受け６５とガラス押さえ６６との重合部分の間には、熱膨張耐火材ｆが配置されるとともに、ガラス受け６５の室外側面、及び、ガラス押さえ６６の室内側面には、パネル体２５に対向するように熱膨張耐火材ｆが配置され、火災時に、熱膨張耐火材ｆが膨張してガラス間口に充満し、ガラス受け６５及びガラス押さえ６６とガラス等パネル体２５との間から火炎や煙等が浸入することを防止している。
【００２９】
以上、左縦框２３の構成を説明したが、上、下框２１，２２及び右縦框２４についても同様の構造を備えており、各框に挿入された主框補強部材６２はその端部において隣接する他の主框補強部材６２と図示しない金属製のアングル材等により連結されることにより、障子の四周に亘って金属製の部材により補強されている。
【００３０】
（枠体と障子との連結構造）
次に、枠体１に対する障子２の取付けについて説明する。
図１，３，６に示すように、障子２の左、右縦框２３，２４が枠体１の左右縦枠１３，１４に対して、左右のアーム部材３，３により支持されている。アーム部材３，３の一端は、左、右縦枠１３，１４の内周面に連結され、他端は、障子２の左、右縦框２３，２４の外周面に連結され、リンク機構を形成することにより、障子２が枠体１に対してすべり出し開放自在に支持されている。
【００３１】
また、図２に示すように、上枠１１の内周面には、枠側反り防止金具８１が固着されるとともに、上框２１の外周面には、框側反り防止金具８２が固着されており、火災時に熱により障子２が沿って枠体１と障子２との間に隙間が開くことを防止している。
【００３２】
一方、下框２２の外周のレール部２３１ａにはロックピン９１が摺動自在に配置されるとともに、下枠１２の内周面には、ロックピン９１が係止するロックピン受け９２が固着されており、下框２２の室内面に配置されたハンドル９３のロック操作によって、ロックピン９１がロックピン受け９２に係止して障子２の閉鎖状態をロックすることができる。
【００３３】
（樹脂框の見付け壁の構造）
図５，７は、本発明の特徴である見付け壁構造をすべり出し窓に用いた第１の実施形態であり、本発明の特徴である見付け壁構造を左縦框２３に採用した例を用いて説明する。
左縦框２３の框本体部２３１の室内側には、中空の室内側壁部２３３が形成されており、室内側壁部２３３の内周側は框本体部２３１よりも内周に突出して、押縁部材２３４と協働してパネル体２５を保持するガラス間口Ｍを構成している。
【００３４】
一方、室内側壁部２３３の外周側端部は、框本体部２３１の外周面と略同一面に形成されており、室内側壁部２３３は、左縦框２３のガラス間口Ｍを構成する内周側部分と框本体部２３１側面に配置される外周側部分とを備える中空の見付け壁として構成され、樹脂框の断熱性を向上させている。
【００３５】
このような中空断熱構造を備える樹脂框において、火災が室内側で発生した際には、火炎や熱によって室内側壁部２３３の見付け面部２３３ａが溶融し、さらにガラス間口Ｍを構成する室内側壁部２３３のガラス間口面部２３３ｂ及び框本体部２３１の内周面部２３１ｂ、室内側面部２３１ｃが溶融することにより、パネル体２５と樹脂框との間に隙間が生じたり、また、樹脂框の中空内部に配置された金属製の補強部材同士に隙間が生じることで連結が安定せず、ガラス受け６５やガラス押さえ６６を保持することができなくなって、パネル体２５が框から脱落してしまう可能性があった。
【００３６】
そこで、本件発明の第１の実施形態の樹脂サッシにおいては、樹脂製の框の室内側の見付け壁を構成する室内側壁部２３３の中空部内に金属製の室内側框補強部材６４を配置するとともに、室内側框補強部材６４の室内側に熱膨張耐火材ｆを配置している。
ここで、室内側框補強部材６４は、ガラス間口Ｍの側面にあたる領域からガラス間口Ｍの外周側の領域に至る幅を有する見付け面部６４ａと、見付け面部６４ａの内周側端及び外周側端より室内側に延設される見込み面部６４ｂ，６４ｃとにより断面Ｕ字状に形成され、開口を室内側に向けて配置されている。そして、熱膨張耐火材ｆは、内周側の見込み面部６４ｂの外周面に取り付けられている。
【００３７】
したがって、火災時に熱や火炎により室内側壁部２３３の見付け面が溶融した際には、室内側框補強部材６４の室内側に配置された熱膨張耐火材ｆが膨張して室内側框補強部材６４の室内側面を覆う断熱層が形成され、ガラス間口Ｍを構成するガラス間口面部２３３ｂ及び框本体部２３１の内周面部２３１ｂ、室内側面部２３１ｃを熱や火炎から保護することができる。
【００３８】
また、室内側框補強部材６４が開口を室内側に向ける断面Ｕ字状をしているので、膨張した熱膨張耐火材ｆは室内側框補強部材６４の凹部Ｂに充満して断熱層を形成して、金属製の補強部材と膨張した耐火材によって樹脂框の側面を確実に保護することができる。
【００３９】
なお、熱膨張耐火材ｆの取付位置は、内周側の見込み面部６４ｂの外周面に限るものではなく、室内側框補強部材６４と室内側壁部２３３の見付け面部２３３ａの裏面との間であれば、室内側框補強部材６４のいずれの部位に取り付けてもよく、また、室内側壁部２３３の見付け面部２３３ａの裏面に取り付けることもできる。さらに、室内側框補強部材６４が凹部Ｂを備える形状である場合には、凹部Ｂに充満することができれば、いずれの箇所に取り付けてもよい。
【００４０】
次に、図８は、本発明の特徴である見付け壁構造をＦＩＸ窓に用いた第２の実施形態であり、本発明の特徴である見付け壁構造を左縦枠７３に採用した例を用いて説明する。
第１の実施形態のすべり出し窓は、枠体１に開閉自在に支持される障子２の框に断熱層を形成するための見付け壁構造が採用されているが、第２の実施形態のＦＩＸ窓においては、ＦＩＸ窓の枠体に断熱層を形成するための見付け壁構造が採用されている。
【００４１】
図８に示されるように、ＦＩＸ窓の左縦枠７３の枠本体部７３１の室内側に、中空の室内側壁部７３３が形成されており、室内側壁部７３３の内周側は押縁部材７３４と協働してパネル体２５を保持するガラス間口Ｍを構成している。
【００４２】
室内側壁部７３３の外周側端部は、枠本体部７３１の外周面と略同一面に形成されており、室内側壁部７３３は、左縦枠７３のガラス間口Ｍを構成する内周側部分と枠本体部７３１側面に配置される外周側部分とを備える中空の見付け壁として構成され、樹脂枠の断熱性を向上させている。
【００４３】
そして、第１の実施形態のすべり出し窓の室内側壁部２３３と同様に、樹脂製の縦枠の室内側部分を構成する室内側壁部７３３の中空部内に金属製の室内側枠補強部材８４を配置するとともに、室内側枠補強部材８４の室内側に熱膨張耐火材ｆを配置している。
【００４４】
それによって、火災時に熱や火炎により左縦枠７３の室内側壁部７３３の見付け面が溶融した際には、室内側枠補強部材８４の室内側に配置された熱膨張耐火材ｆが膨張して室内側枠補強部材８４の室内側面を覆う断熱層が形成され、ガラス間口Ｍを構成するガラス間口面部７３３ｂ及び枠本体部７３１の内周面部７３１ｂ、室内側面部７３１ｃを熱や火炎から保護することができる。
【００４５】
以上のように、本発明の実施形態の樹脂サッシにおいては、樹脂框の室内側部分もしくは樹脂枠の室内側部分をガラス間口を構成する中空の見付け壁として形成し、その見付け壁の中空部内に金属製の補強部材を配置するとともに、補強部材の室内側に熱膨張耐火材を配置することにより、火災時には、補強部材の室内側において熱膨張耐火材が膨張して断熱層が形成される。
これにより、樹脂框もしくは樹脂枠の部位のうち断熱層よりも室外側に位置する、室内側壁部のガラス間口面部や、框本体部もしくは枠本体部の内周面部、室内側面部等の部位を火災時の火炎や熱から保護することができ、上記樹脂框もしくは樹脂枠の部位が溶融してガラス等パネル体と樹脂框もしくは樹脂枠との間に隙間が生じることによるガラス間口における室内外方向の連通を防止できると共に、金属製の補強部材同士の連結にがたつきが生じることを防止してパネル体の保持を比較的長い時間持続することができる。
【００４６】
なお、本発明が採用される窓は、特に、すべり出し窓やＦＩＸ窓に限られるものではなく、本発明の実施形態に採用されている見付け壁構造は、各種の窓用の樹脂サッシの框又は枠体に対して採用することができる。
また、本実施形態においては、框もしくは枠の室内側に見付け壁を備えるものについて説明したが、見付け壁は室内側に限るものではなく、押縁が室内側に設けられる場合などには、本発明の見付け壁を室外側に設けることも可能である。
【符号の説明】
【００４７】
１              ：枠体
１１          ：上枠
１２          ：下枠
１３          ：左縦枠
１３１      ：枠本体部
１３１ａ  ：取付片部
１３１ｂ  ：室内側取付片部
１３２      ：室外側中空部
１３３      ：立上り壁
１３３ａ  ：外周側中空部
１３３ｂ  ：中間壁
１３３ｃ  ：内周側中空部
１４          ：右縦枠
２              ：障子
２１          ：上框
２２          ：下框
２３          ：左縦框
２３１      ：框本体部
２３１ａ  ：レール部
２３２      ：室外側壁部
２３２ａ  ：室内側框中空部
２３２ｂ  ：中間壁
２３２ｃ  ：外周側框中空部
２３３      ：室内側壁部
２３４      ：押縁部材
２４          ：右縦框
２５          ：パネル体
３              ：アーム部材
５１          ：釘ヒレアングル材
５３          ：主補強部材
５３ａ        ：外周片
５３ｂ        ：内周片
５３ｃ        ：見付け片
５４          ：外周側補強部材
５５          ：内周側補強部材
６１          ：框カバー部材
６２          ：主框補強部材
６３          ：室外側框補強部材
６４          ：室内側框補強部材
６５          ：ガラス受け
６６          ：ガラス押さえ
ｂ              ：連結手段
ｆ              ：熱膨張耐火材
ｎ              ：固定手段
ｓ              ：シール材
【図１】
0006456168.tif 000002
【図２】
0006456168.tif 000003
【図３】
0006456168.tif 000004
【図４】
0006456168.tif 000005
【図５】
0006456168.tif 000006
【図６】
0006456168.tif 000007
【図７】
0006456168.tif 000008
【図８】
0006456168.tif 000009